(57)【特許請求の範囲】
【請求項１】
操作面に対するタッチ操作を検知するタッチ検知手段と、
前記タッチ検知手段によって検知されたタッチ操作に係る前記操作面に対する押圧力を検知する圧力検知手段と、
表示手段に内容表示画面として特定の項目の内容を表示している際に、前記圧力検知手段により第１の圧力を超える押圧力が検知されると、前記表示手段の表示を、複数の項目を表示する一覧画面に切り替え、その後、切替前になされたタッチが離されることなく前記タッチ検知手段によってタッチ位置を移動する操作があったことが検知されると、前記一覧画面に表示される複数の項目の少なくとも一部を切り替えるスクロール表示をするように制御する表示制御手段とを有し、
前記表示制御手段は、
前記操作面に対する前記第１の圧力を超える押圧力の検知に応じて前記一覧画面に切り替えた後、前記タッチ検知手段によりタッチ位置を移動する操作が検知されることなく前記圧力検知手段により押圧力が第２の圧力以下となったことが検知されると、前記一覧画面で表示されていた項目のうちいずれかの項目の内容を表示する内容表示画面に切り替え、
前記操作面に対する前記第１の圧力を超える押圧力の検知に応じて前記一覧画面に切り替えた後、押圧力が前記第２の圧力以下にならずに前記タッチ検知手段によりタッチ位置を移動する操作が検知された場合には、その後は前記圧力検知手段により押圧力が前記第２の圧力以下となったことが検知されても、前記内容表示画面には切り替えないように制御し、
前記表示手段に特定の項目の内容を表示している際に、前記圧力検知手段により前記第１の圧力を超える押圧力が検知されたことによって前記一覧画面を表示する場合、前記第１の圧力を超える押圧力が検知された際に前記タッチ検知手段によって検知されたタッチの位置に応じて、前記一覧画面に表示する複数の項目を変更するように制御することを特徴とする電子機器。
【請求項２】
前記第２の圧力は、前記第１の圧力よりも小さいことを特徴とする請求項１に記載の電子機器。
【請求項３】
前記一覧画面は、複数の項目を行列に並べて表示する画面であることを特徴とする請求項１又は２に記載の電子機器。
【請求項４】
前記一覧画面は、複数の項目を１列に並べて表示する画面であることを特徴とする請求項１乃至３のいずれか１項に記載の電子機器。
【請求項５】
前記一覧画面に表示された複数の項目のうち何れかを選択するタッチ操作があったことに応じて、前記表示制御手段は、前記一覧画面から、前記タッチ操作によって選択された項目の内容を表示する画面に切り替えるように制御することを特徴とする請求項１乃至４のいずれか１項に記載の電子機器。
【請求項６】
前記表示制御手段は、前記操作面に対する前記第１の圧力を超える押圧力の検知に応じて前記一覧画面に切り替えた後、前記圧力検知手段により前記第１の圧力よりも大きい第３の圧力を超える押圧力が検知されると、前記表示手段の表示を、前記一覧画面よりも多くの項目を表示する一覧画面に切り替えるように制御することを特徴とする請求項１乃至５のいずれか１項に記載の電子機器。
【請求項７】
前記表示制御手段は、前記表示手段に特定の項目の内容を表示している際に、前記圧力検知手段により第１の圧力を超える押圧力が検知されずに、前記タッチ検知手段によって所定のタッチ操作が検知されると、前記特定の項目と異なる他の項目の内容表示画面に切り替えるように制御することを特徴とする請求項１乃至６のいずれか１項に記載の電子機器。
【請求項８】
前記内容表示画面は、１つの項目の内容を表示する画面であることを特徴とする請求項１乃至７のいずれか１項に記載の電子機器。
【請求項９】
前記タッチ検知手段は、前記操作面に対する複数のタッチ操作を検知可能であり、
前記表示手段に特定の項目の内容を表示している際に、前記タッチ検知手段により複数のタッチが互いに近づくことが検知された場合に、前記表示制御手段は、前記表示手段の表示を、複数の項目を表示する一覧画面に切り替えるように制御することを特徴とする請求項１乃至８のいずれか１項に記載の電子機器。
【請求項１０】
前記複数の項目はそれぞれ画像であり、前記内容表示画面は１つの画像が表示された画
面であることを特徴とする請求項１乃至９のいずれか１項に記載の電子機器。
【請求項１１】
前記複数の項目はそれぞれＷｅｂページであり、前記内容表示画面は前記Ｗｅｂページの内容が表示された画面であることを特徴とする請求項１乃至９のいずれか１項に記載の電子機器。
【請求項１２】
前記複数の項目はそれぞれメールであり、前記内容表示画面は前記メールの内容が表示された画面であることを特徴とする請求項１乃至９のいずれか１項に記載の電子機器。
【請求項１３】
前記操作面は、前記表示手段の表示面であることを特徴とする請求項１乃至１２のいずれか１項に記載の電子機器。
【請求項１４】
操作面に対するタッチ操作を検知するタッチ検知工程と、
前記タッチ検知工程において検知されたタッチ操作に係る前記操作面に対する押圧力を検知する圧力検知工程と、
表示手段に内容表示画面として特定の項目の内容を表示している際に、前記圧力検知工程において第１の圧力を超える押圧力が検知されると、前記表示手段の表示を、複数の項目を表示する一覧画面に切り替え、その後、切替前になされたタッチが離されることなく前記タッチ検知工程によってタッチ位置を移動する操作があったことが検知されると、前記一覧画面に表示される複数の項目の少なくとも一部を切り替えるスクロール表示をするように制御する表示制御工程とを有し、
前記表示制御工程は、
前記操作面に対する前記第１の圧力を超える押圧力の検知に応じて前記一覧画面に切り替えた後、前記タッチ検知に工程よりタッチ位置を移動する操作が検知されることなく前記圧力検知工程により押圧力が第２の圧力以下となったことが検知されると、前記一覧画面で表示されていた項目のうちいずれかの項目の内容を表示する内容表示画面に切り替え、
前記操作面に対する前記第１の圧力を超える押圧力の検知に応じて前記一覧画面に切り替えた後、押圧力が前記第２の圧力以下にならずに前記タッチ検知工程によりタッチ位置を移動する操作が検知された場合には、その後は前記圧力検知工程により押圧力が前記第２の圧力以下となったことが検知されても、前記内容表示画面には切り替えないように制御し、
前記表示手段に特定の項目の内容を表示している際に、前記圧力検知工程において前記第１の圧力を超える押圧力が検知されたことによって前記一覧画面を表示する場合、前記第１の圧力を超える押圧力が検知された際に前記タッチ検知工程において検知されたタッチの位置に応じて、前記一覧画面に表示する複数の項目を変更するように制御することを特徴とする電子機器の制御方法。
【請求項１５】
コンピュータを、請求項１乃至１３のいずれか１項に記載の電子機器の各手段として機能させるためのプログラム。
【請求項１６】
コンピュータを、請求項１乃至１３のいずれか１項に記載の電子機器の各手段として機能させるためのプログラムを格納したコンピュータが読み取り可能な記憶媒体。
【発明の詳細な説明】
【技術分野】
【０００１】
本発明は、特に、タッチパネルを搭載した機器で操作するために用いて好適な電子機器、電子機器の制御方法、プログラム及び記憶媒体に関する。
【背景技術】
【０００２】
近年、様々な電子製品にタッチパネルが搭載されている。タッチパネルは、表示部とユーザーが操作を行う操作部とが一体となったデバイスであり、タッチパネルに表示された情報に応じてユーザーがタッチパネルをタッチすることによって、電子製品を操作することができる。このようにタッチパネルは非常に直感的な入出力インターフェースである。
【０００３】
ユーザーがタッチパネルを操作する場合、タッチパネル上に表示されたボタン等に指を移動させてタッチし、ボタンを選択することにより所望の操作を行う。ここで、ユーザーが所望の操作を完了させるまでの間、タッチパネルへのタッチを複数回行うことがある。タッチを複数回行うと、特に操作の手順が長くなる場合に操作がわかりにくいという問題があった。また、操作の手順が長いと、ユーザーがタッチパネル上で指を移動させる距離が長くなり、タッチする操作に倦怠感を感じることがあった。
【０００４】
そこで、表示する所望の画像をタッチパネル操作でマルチ再生表示し、所望の画像に到達するまでのアクセスを簡単にする画像表示装置が提案されている（特許文献１参照）。この画像処理装置では、弱いタッチで第１のモードに移行し、第１のモードでは、Ｙ方向のタッチ操作により表示枚数を変更できるようにしている。また、強いタッチで第２のモードに移行し、第２のモードでは、選択肢をフォーカス状態にして一覧画面から画像を選択できるようにしている。
【先行技術文献】
【特許文献】
【０００５】
【特許文献１】特開２００９−２４５０３７号公報
【発明の概要】
【発明が解決しようとする課題】
【０００６】
特許文献１に記載の方法では、一覧表示される枚数をＹ軸方向のタッチ操作により簡単に変更することができるが、一覧表示そのものに切り替える際には、簡単な操作で一覧表示に切り替えることができない。
【０００７】
本発明は前述の問題点に鑑み、少ないタッチ操作により直観的でかつ簡単に一覧表示へ切り替えることができるようにすることを目的としている。
【課題を解決するための手段】
【０００８】
本発明に係る電子機器は、操作面に対するタッチ操作を検知するタッチ検知手段と、前記タッチ検知手段によって検知されたタッチ操作に係る前記操作面に対する押圧力を検知する圧力検知手段と、表示手段に内容表示画面として特定の項目の内容を表示している際に、前記圧力検知手段により第１の圧力を超える押圧力が検知されると、前記表示手段の表示を、複数の項目を表示する一覧画面に切り替え、その後、切替前になされたタッチが離されることなく前記タッチ検知手段によってタッチ位置を移動する操作があったことが検知されると、前記一覧画面に表示される複数の項目の少なくとも一部を切り替えるスクロール表示をするように制御する表示制御手段とを有し、前記表示制御手段は、前記操作面に対する前記第１の圧力を超える押圧力の検知に応じて前記一覧画面に切り替えた後、前記タッチ検知手段によりタッチ位置を移動する操作が検知されることなく前記圧力検知手段により押圧力が第２の圧力以下となったことが検知されると、前記一覧画面で表示されていた項目のうちいずれかの項目の内容を表示する内容表示画面に切り替え、前記操作面に対する前記第１の圧力を超える押圧力の検知に応じて前記一覧画面に切り替えた後、押圧力が前記第２の圧力以下にならずに前記タッチ検知手段によりタッチ位置を移動する操作が検知された場合には、その後は前記圧力検知手段により押圧力が前記第２の圧力以下となったことが検知されても、前記内容表示画面には切り替えないように制御し、前記表示手段に特定の項目の内容を表示している際に、前記圧力検知手段により前記第１の圧力を超える押圧力が検知されたことによって前記一覧画面を表示する場合、前記第１の圧力を超える押圧力が検知された際に前記タッチ検知手段によって検知されたタッチの位置に応じて、前記一覧画面に表示する複数の項目を変更するように制御することを特徴とする。
【発明の効果】
【０００９】
本発明によれば、少ないタッチ操作により直観的でかつ簡単に一覧表示へ切り替えることができる。
【図面の簡単な説明】
【００１０】
【図１】実施形態に係る電子機器の内部構成例を示すブロック図である。
【図２】シングル再生処理の詳細な処理手順の一例を示すフローチャートである。
【図３】圧力検知中４枚マルチ再生処理の詳細な処理手順の一例を示すフローチャートである。
【図４】圧力検知中９枚マルチ再生処理の詳細な処理手順の一例を示すフローチャートである。
【図５】マルチ再生処理の詳細な処理手順の一例を示すフローチャートである。
【図６】ディスプレイに表示される画像の例を示す図である。
【図７】タッチの位置に応じてマルチ表示される画像が変化する例を説明するための図である。
【図８】横方向にマルチ表示した場合の例を説明するための図である。
【図９】Ｗｅｂページの一覧およびその内容の画面の一例を示す図である。
【図１０】メールの一覧およびその内容の画面の一例を示す図である。
【発明を実施するための形態】
【００１１】
（第１の実施形態）
以下に、本発明の好ましい第１の実施形態について、添付の図面に基づいて詳細に説明する。
図１は、本実施形態に係る電子機器１００の内部構成例を示すブロック図である。
電子機器１００は、ＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、通信Ｉ／Ｆ１１０、タッチパネル１１２および圧力検知部１１３を有する。これらの各部は内部バス１５０を介して互いに接続されており、内部バス１５０に接続される各部は、内部バス１５０を介して互いにデータのやりとりを行うことができる。
【００１２】
メモリ１０２は、例えばＲＡＭ（半導体素子を利用した揮発性のメモリなど）からなる。
ＣＰＵ１０１は、例えば不揮発性メモリ１０３に格納されるプログラムに従い、メモリ１０２をワークメモリとして用いて、電子機器１００の各部を制御する。
不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１３】
画像処理部１０４は、ＣＰＵ１０１の制御に基づいて、不揮発性メモリ１０３や記録媒体１０８に格納された画像データや、外部Ｉ／Ｆ１０９を介して取得した映像信号、通信Ｉ／Ｆ１１０を介して取得した画像データなどに対して各種画像処理を施す。画像処理部１０４が行う画像処理には、Ａ／Ｄ変換処理、Ｄ／Ａ変換処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１４】
ディスプレイ１０５は、ＣＰＵ１０１の制御に基づいて、画像やＧＵＩ(Graphical User Interface)を構成するＧＵＩ画面などを表示する。ＣＰＵ１０１は、プログラムに従って表示制御信号を生成し、ディスプレイ１０５に表示するための映像信号を生成してディスプレイ１０５に出力するように電子機器１００の各部を制御する。ディスプレイ１０５は出力された映像信号に基づいて映像を表示する。なお、電子機器１００自体が備える構成としてはディスプレイ１０５に表示させるための映像信号を出力するためのインターフェースまでとし、ディスプレイ１０５は外付けのモニタ（テレビなど）で構成してもよい。
【００１５】
操作部１０６は、キーボードなどの文字情報入力デバイスや、マウスなどのポインティングデバイス、ボタン、ダイヤル、ジョイスティックなどを含む、ユーザーの操作を受け付けるための入力デバイスである。
【００１６】
記憶媒体Ｉ／Ｆ１０７は、メモリーカードやＣＤ、ＤＶＤといった記録媒体１０８が装着可能とされ、ＣＰＵ１０１の制御に基づき、装着された記録媒体１０８からデータを読み出したり、記録媒体１０８にデータを書き込んだりする。
外部Ｉ／Ｆ１０９は、外部機器と有線ケーブルや無線によって接続し、映像信号や音声信号の入出力を行うためのインターフェースである。
通信Ｉ／Ｆ１１０は、外部機器やインターネット１１１などと通信して、ファイルやコマンドなどの各種データの送受信を行うためのインターフェースである。
【００１７】
また、電子機器１００は、ディスプレイ１０５に対する接触を検知可能なタッチパネル１１２を有する。タッチパネル１１２とディスプレイ１０５とは一体的に構成することができる。例えば、タッチパネル１１２を光の透過率がディスプレイ１０５の表示を妨げないように構成し、ディスプレイ１０５の表示面の上層に取り付ける。そして、タッチパネル１１２における入力座標と、ディスプレイ１０５上の表示座標とを対応付ける。これにより、恰もユーザーがディスプレイ１０５上に表示された画面を直接的に操作可能であるかのようなＧＵＩ（グラフィカルユーザーインターフェース）を構成することができる。ＣＰＵ１０１はタッチパネル１１２への以下の操作（ディスプレイ１０５の操作面に対する以下の操作）。あるいは状態をタッチ検知できる。
・タッチパネル１１２にタッチしていなかった指やペンが新たにタッチパネル１１２にタッチしたこと。すなわち、タッチの開始（以下、タッチダウン（Touch-Down）と称する）。
・タッチパネル１１２を指やペンでタッチしている状態であること（以下、タッチオン（Touch-On）と称する）。
・タッチパネル１１２を指やペンでタッチしたまま移動していること（以下、タッチムーブ（Touch-Move）と称する）。
・タッチパネル１１２へタッチしていた指やペンを離したこと。すなわち、タッチの終了（以下、タッチアップ（Touch-Up）と称する）。
・タッチパネル１１２に何もタッチしていない状態（以下、タッチオフ（Touch-Off）と称する）。
【００１８】
タッチダウンが検知されると、同時にタッチオンであることも検知される。タッチダウンの後、タッチアップが検知されない限りは、通常はタッチオンが検知され続ける。タッチムーブが検知されるのもタッチオンが検知されている状態である。タッチオンが検知されていても、タッチ位置が移動していなければタッチムーブは検知されない。タッチしていた全ての指やペンがタッチアップしたことが検知された後は、タッチオフとなる。
【００１９】
これらの操作・状態や、タッチパネル１１２上に指やペンがタッチしている位置座標は内部バス１５０を通じてＣＰＵ１０１に通知され、ＣＰＵ１０１は通知された情報に基づいてタッチパネル１１２上にどのような操作が行われたかを判定する。タッチムーブについてはタッチパネル１１２上で移動する指やペンの移動方向についても、位置座標の変化に基づいて、タッチパネル１１２上の垂直成分・水平成分毎に判定できる。
【００２０】
また、タッチパネル１１２上をタッチダウンから一定のタッチムーブを経てタッチアップをしたとき、ストロークを描いたこととする。素早くストロークを描く操作をフリックと呼ぶ。フリックは、タッチパネル１１２上に指をタッチしたままある程度の距離だけ素早く動かして、そのまま離すといった操作であり、言い換えればタッチパネル１１２上を指ではじくように素早くなぞる操作である。所定距離以上を、所定速度以上でタッチムーブしたことが検知され、そのままタッチアップが検知されるとフリックが行われたと判定できる。
【００２１】
また、所定距離以上を、所定速度未満でタッチムーブしたことが検知された場合はドラッグが行われたと判定するものとする。一方、タッチムーブが所定距離未満であり、所定時間内にタッチダウンからタッチアップまでの操作が検知された場合はタップが行われたと判定するものとする。なお、時間は関係なく、タッチダウンからタッチアップまでの操作が、所定距離以上のタッチムーブがされることなく行われた場合もタップが行われたと判定しても良い。
【００２２】
更に、複数箇所（例えば２点）を同時にタッチして、互いのタッチ位置を近づけるタッチ操作をピンチインと称し、互いのタッチ位置を遠ざけるタッチ操作をピンチアウトと称する。ピンチアウトとピンチインとを総称してピンチ操作（あるいは単にピンチ）と称する。
【００２３】
タッチパネル１１２は、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検知する方式や、タッチパネルに対する指やペンの接近があったことでタッチがあったと検知する方式ものがあるが、いずれの方式でもよい。
【００２４】
圧力検知部１１３は、ディスプレイ１０５の操作面に対する押圧力を検知する。圧力検知部１１３は、ディスプレイ１０５に対するタッチ操作によって押圧された場合の押圧力の強度を連続的に検知することができる。圧力検知部１１３としては、ディスプレイ１０５の操作面に対する押圧力によって歪む部分に、歪みゲージセンサを設置し、この歪みゲージセンサからの出力値によってディスプレイ１０５の操作面に対する押圧力を検知する構成とすることができる。あるいは、ディスプレイ１０５と平行に備えられた静電容量センサにより、ディスプレイ１０５の操作面に対する押圧力によって操作面が歪んだことによる、操作面上の指と静電容量センサとの距離を静電容量値から算出する。そして、この距離に基づいて圧力を算出、あるいは距離を圧力と同等に扱うものとしても良い。また、圧力検知部１１３は、ディスプレイ１０５の操作面に対する押圧力を検知可能なものであれば、他の方式のものでも良い。さらに、圧力検知部１１３は、タッチパネル１１２と一体に構成されるものであっても良い。以下、ディスプレイ１０５の操作面に対する押圧操作をタッチプッシュと称する。
【００２５】
次に、ディスプレイ１０５に画像が表示されている状態において、タッチダウンが行われた際の動作について説明する。
記録媒体１０８には、複数の画像ファイルにファイル番号が付けられて保存されている。記録媒体１０８に保存されている画像ファイルをディスプレイ１０５に表示する場合は、タッチパネル１１２に対するタッチ操作にて表示する画像を切り替えることができる。また、本実施形態に係る電子機器１００は、１枚の画像を全画面に表示する「１枚再生」、異なる４枚の画像を同時に表示する「４枚再生」、または異なる９枚の画像を同時に表示する「９枚再生」に切り替えることが可能である。
【００２６】
図２〜図５に、本実施形態におけるタッチ操作及びタッチプッシュ操作に応じた一連の処理手順の一例を示す。これらの処理は、不揮発性メモリ１０３に記録されたプログラムをメモリ１０２に展開してＣＰＵ１０１が実行することで実現する。
【００２７】
図２は、記録媒体１０８に保存されている画像ファイルを１枚再生してディスプレイ１０５に表示するシングル再生処理の詳細な処理手順の一例を示すフローチャートである。
ユーザーがタッチパネル１１２を操作することにより画像再生の指示が行われるか、もしくは後述する処理によってシングル再生処理に移行すると、処理を開始する。そして、Ｓ２０１において、ＣＰＵ１０１は、画像ファイルを記録媒体１０８から読み出してその画像をディスプレイ１０５に表示する。
【００２８】
図６（Ａ）に、図２のＳ２０１で１枚表示された画像の例を示す。１枚表示では、ディスプレイ１０５の画像を表示するための表示領域に、画像全体が収まる最大のサイズで１つの画像が表示される。すなわち、１枚表示では、画像の縦の長さと表示領域の縦の長さとが一致する表示倍率と、画像の横の長さと表示領域の横の長さとが一致する表示倍率とのうち、小さい方の表示倍率の画像が表示される。また、後述するマルチ再生（一覧表示）に比べて、１枚表示は、１つの画像についてより詳細が表示される詳細表示画面でもある。なお、図６に示す各表示例においては、便宜上、表示される画像の順番がわかりやすいように画像の右下にファイル番号が表示されているが、ファイル番号は実際には表示されないようにしてもよい。
【００２９】
次に、Ｓ２０２において、ＣＰＵ１０１は、タッチパネル１１２上で１点タッチダウン（１箇所へのタッチダウン）を検知したか否かを判定する。この判定の結果、ＣＰＵ１０１が１点タッチダウンを検知した場合はＳ２０３に進み、そうでない場合はＳ２１１に進む。
【００３０】
Ｓ２０３においては、圧力検知部１１３は、タッチオンされている状態でのタッチプッシュの圧力Ｐを検知する。そして、ＣＰＵ１０１は、検知されたタッチプッシュの圧力Ｐが所定の閾値ＳＨ１を超えているか否かを判定する。この判定の結果、圧力Ｐが閾値ＳＨ１を超えている場合はＳ２０９に進み、そうでない場合はＳ２０４に進む。なお、Ｓ２０９の「圧力検知中４枚マルチ再生処理」については、図３のフローチャートを用いて後述する。
【００３１】
Ｓ２０４においては、ＣＰＵ１０１は、タッチパネル１１２上で左右方向に対してタッチムーブされていることを検知したか否かを判定する。この判定の結果、ＣＰＵ１０１がタッチムーブされていることを検知した場合はＳ２０８に進み、そうでない場合はＳ２０５に進む。
【００３２】
Ｓ２０８において、ＣＰＵ１０１は、タッチムーブされた方向に応じてディスプレイ１０５に表示させる画像をスクロール（表示位置を移動）させる。このとき、ＣＰＵ１０１は、スクロールして次に表示すべき画像の画像ファイルを記録媒体１０８から読み出し、その画像をディスプレイ１０５に表示する。このように、現在の画像から所定の順序（例えばファイル名順）で次の画像または前の画像に、スクロールによって切り替えることができる。タッチムーブにより左方向にスクロールされた場合は、ＣＰＵ１０１により現在表示されている画像よりも後のファイル番号の画像ファイルが記録媒体１０８から読み出される。一方、タッチムーブにより右方向にスクロールされた場合は、ＣＰＵ１０１により現在表示されている画像よりも前のファイル番号の画像ファイルが記録媒体１０８から読み出される。例えば図６（Ａ）の状態から左方向にタッチムーブが行われ、左にスクロールして次の画像に切り替えると、図６（Ｂ）に示すように、次の画像が表示される。
【００３３】
次に、Ｓ２０５において、ＣＰＵ１０１は、タッチパネル１１２上でマルチタッチされていることを検知したか否かを判定する。ここでマルチタッチとは、２点以上でタッチオンされた状態を指す。この判定の結果、ＣＰＵ１０１がマルチタッチされていることを検知した場合はＳ２０６に進み、そうでない場合はＳ２０７に進む。
【００３４】
Ｓ２０６においては、ＣＰＵ１０１は、タッチパネル１１２上でピンチインされたことを検知したか否かを判定する。この判定の結果、ＣＰＵ１０１がピンチインされたことを検知した場合はＳ２１０に進み、そうでない場合はＳ２０７に進む。なお、Ｓ２１０の「マルチ再生処理」については図５のフローチャートを用いて後述する。
【００３５】
Ｓ２０７においては、ＣＰＵ１０１は、タッチパネル１１２上でタッチアップされたことを検知したか否かを判定する。この判定の結果、ＣＰＵ１０１がタッチアップされたことを検知した場合はＳ２１１に進み、そうでない場合はＳ２０３に戻る。
【００３６】
Ｓ２１１においては、ＣＰＵ１０１は、画像の再生処理を終了するイベントがあったか否かを判定する。終了するイベントとしては、電子機器１００の電源を切る、画像の再生とは異なる動作モードに切り替える、画像の再生を行っていたアプリケーションソフトを終了する、などがある。この判定の結果、画像の再生処理の終了イベントがあった場合はシングル再生処理が終了し、そうでない場合はＳ２０２に戻る。
【００３７】
図３は、図２のＳ２０９における圧力検知中４枚マルチ再生処理の詳細な処理手順の一例を示すフローチャートである。
まず、Ｓ３０１において、ＣＰＵ１０１は、記録媒体１０８に保存されている４枚の画像ファイルを再生し、４枚の画像をディスプレイ１０５に表示する。このとき、ＣＰＵ１０１は、直前に１枚再生されていた画像ファイルに続くファイル番号の３枚の画像ファイルを新たに記録媒体１０８から読み出し、画像処理部１０４にて４枚配置できるようなサイズにリサイズして４つの画像を表示する。
【００３８】
図６（Ｃ）に、図３のＳ３０１で４枚表示された画像の例を示す。ディスプレイ１０５には、１枚再生よりも小さいサイズで、４枚の画像が表示される。１枚再生された状態からタッチプッシュによって４枚再生に移行した場合は、直前の１枚再生で表示されていた画像が、表示される４枚の画像に含まれる。例えば、図６（Ａ）のようにファイル番号「１」の画像を１枚再生していた状態から４枚再生に移行すると、図６（Ｃ）に示すように、ファイル番号「１」〜「４」の４枚の画像が表示される。
【００３９】
次に、Ｓ３０２において、ＣＰＵ１０１は、Ｓ２０２でタッチダウンと判定されてからの継続した（タッチが離されないまま行われた）タッチ操作により、上下方向にタッチムーブがされたことを検知したか否かを判定する。この判定の結果、ＣＰＵ１０１が上下方向にタッチムーブされたことを検知した場合はＳ３０７に進み、そうでない場合はＳ３０３に進む。
【００４０】
Ｓ３０３においては、圧力検知部１１３は、タッチオンされている状態でのタッチプッシュの圧力Ｐを検知する。そして、ＣＰＵ１０１は、検知されたタッチプッシュの圧力Ｐが所定の閾値ＳＨ１´を超えているか否かを判定する。ここで、前述の閾値ＳＨ１との関係において、閾値ＳＨ１＞閾値ＳＨ１´とする。閾値ＳＨ１´は閾値ＳＨ１に対してヒステリシスを持たせた値とすることにより、タッチプッシュ状態を保持した状態における圧力変化によりユーザーが意図しない動作が行われないようにしている。すなわち、タッチプッシュの圧力が少し弱まっただけではシングル再生処理には戻らないようにしている。この判定の結果、圧力Ｐが閾値ＳＨ１´を超えている場合はＳ３０４に進み、そうでない場合は、Ｓ３１１である図２の「シングル再生処理」に戻る。
【００４１】
Ｓ３０４においては、ＣＰＵ１０１は、さらにタッチプッシュの圧力Ｐが所定の閾値ＳＨ２を超えているか否かを判定する。ここで、閾値ＳＨ２は、閾値ＳＨ１および閾値ＳＨ１´よりも大きい圧力とする。この判定の結果、圧力Ｐが閾値ＳＨ２を超えている場合はＳ３０６に進み、そうでない場合はＳ３０５に進む。なお、Ｓ３０６の「圧力検知中９枚マルチ再生処理」については、図４のフローチャートを用いて後述する。
【００４２】
Ｓ３０５においては、ＣＰＵ１０１は、タッチパネル１１２上でタッチアップされたことを検知したか否かを判定する。この判定の結果、ＣＰＵ１０１がタッチアップされたことを検知した場合は前述のＳ３１１の「シングル再生処理」に移行し、そうでない場合はＳ３０２に戻る。
【００４３】
なお、一度上下方向へのタッチムーブ（画像のスクロール操作）が行われた場合には、Ｓ３０７に進み、Ｓ３０３〜Ｓ３０５の処理は行われない。すなわち、一度上下方向へのタッチムーブ（画像のスクロール操作）が行われた場合には、タッチプッシュによる圧力の変化があっても表示される画像の枚数や大きさの変更が行われないようにする。一方、１枚再生の状態からタッチプッシュによって４枚再生に切り替えた後、上下方向へタッチムーブせずにタッチップッシュの圧力Ｐを閾値ＳＨ１´以下とするか、タッチアップすれば、元の１枚再生に戻ることができる。この場合、１枚再生で表示される画像は、タッチプッシュの前と同じ画像であるものとする。
【００４４】
なお、タッチムーブをせずにタッチップッシュの圧力Ｐを閾値ＳＨ１´以下にした場合、図２のシングル再生処理に戻ってもタッチオンは継続されたままである。この場合、Ｓ２０１の処理の後、Ｓ２０２の処理を飛ばしてＳ２０３に進むようにするものとする。すなわち、タッチオンを継続させたまま、シングル再生処理での各種タッチ操作、タッチプッシュ操作を行えるようにしてもよい。このようにすれば、１枚再生の状態でユーザーがタッチプッシュをする意図を持たずに、不用意に強くタッチしてしまって図３の処理に進んでしまった場合にも、タッチプッシュの圧力を弱めることで１枚再生に戻して意図した操作を行うことができる。
【００４５】
逆に、図２のシングル再生処理に戻った際、タッチが継続されたままである限りは、Ｓ２０１の処理の後、Ｓ２０２でＮｏと判定するようにしてもよい。このように、一度タッチを離してから再度タッチダウンしないとシングル再生処理での各種タッチ操作、タッチプッシュ操作を行えないようにしてもよい。
【００４６】
Ｓ３０７においては、ＣＰＵ１０１は、タッチムーブされた方向が上か下かに応じてディスプレイ１０５に表示される画像をスクロールさせる。スクロールして新たに表示される画像は記録媒体１０８から新たに読み出される。下方向にスクロールされた場合は現在表示されている画像よりも前のファイル番号の４つの画像ファイルが読み出され、上方向にスクロールされた場合は現在表示されている画像よりも後のファイル番号の４つの画像ファイルが読み出される。新たに読み出された４つの画像ファイルが画像処理部１０４にて４枚配置できるようなサイズにリサイズされ、４つの画像が表示される。例えば、図６（Ｃ）のようにファイル番号「１」〜「４」の４つの画像が表示された状態で上方向へタッチムーブされると、画像を全体的に上にスクロールし、図６（Ｄ）に示すように、ファイル番号「５」〜「８」の４つの画像を表示させることができる。
【００４７】
次に、Ｓ３０８において、圧力検知部１１３は、タッチオンされている状態でのタッチプッシュの圧力Ｐを検知する。そして、ＣＰＵ１０１は、検知された圧力Ｐが前述の閾値ＳＨ２を超えているか否かを判定する。この判定の結果、圧力Ｐが閾値ＳＨ２を超えている場合は、Ｓ３０６の「圧力検知中９枚マルチ再生処理」に進み、そうでない場合はＳ３０９に進む。
【００４８】
Ｓ３０９においては、ＣＰＵ１０１は、上下方向にタッチムーブがされたことを検知したか否かを再び判定する。この判定の結果、ＣＰＵ１０１が上下方向にタッチムーブされたことを検知した場合はＳ３０７に戻り、そうでない場合はＳ３１０に進む。
【００４９】
Ｓ３１０においては、ＣＰＵ１０１は、タッチパネル１１２上でタッチアップされたことを検知したか否かを判定する。この判定の結果、ＣＰＵ１０１がタッチアップされたことを検知した場合は「圧力検知中４枚マルチ再生処理」を終了して図２のＳ２１０に進み、そうでない場合はＳ３０８に戻る。
【００５０】
図４は、図３のＳ３０６における圧力検知中９枚マルチ再生処理の詳細な処理手順の一例を示すフローチャートである。
まず、Ｓ４０１において、ＣＰＵ１０１は、記録媒体１０８に保存されている９枚の画像ファイルを再生し、９枚の画像をディスプレイ１０５に表示する。このとき、ＣＰＵ１０１は、直前に４枚再生されていた画像ファイルに続くファイル番号の５枚の画像ファイルを新たに記録媒体１０８から読み出し、画像処理部１０４にて９枚配置できるようなサイズにリサイズして９つの画像を表示する。
【００５１】
図６（Ｅ）に、図４のＳ４０１で９枚表示された画像の例を示す。図６（Ｃ）のようにファイル番号「１」〜「４」の画像を表示していた状態からタッチプッシュの圧力を強めて９枚再生に移行した場合、図５（Ｅ）に示すように、ファイル番号「１」〜「９」の９枚の画像が表示される。
【００５２】
次に、Ｓ４０２において、ＣＰＵ１０１は、上下方向にタッチムーブされたことを検知したか否かを判定する。この判定の結果、ＣＰＵ１０１が上下方向にタッチムーブされたことを検知した場合はＳ４０６に進み、そうでない場合はＳ４０３に進む。
【００５３】
Ｓ４０３においては、圧力検知部１１３は、タッチオンされている状態でのタッチプッシュの圧力Ｐを検知する。そして、ＣＰＵ１０１は、検知されたタッチプッシュの圧力Ｐが前述の閾値ＳＨ１を超えているか否かを判定する。この判定の結果、タッチプッシュの圧力Ｐが前述の閾値ＳＨ１を超えている場合はＳ４０４に進み、そうでない場合はＳ３１１の「シングル再生処理」へ移行する。
【００５４】
次に、Ｓ４０４において、ＣＰＵ１０１は、さらにタッチプッシュの圧力Ｐが所定の閾値ＳＨ２´を超えているか否かを判定する。ここで、前述の閾値ＳＨ２、閾値ＳＨ１及び閾値ＳＨ１´との関係において、閾値ＳＨ２＞閾値ＳＨ２´＞閾値ＳＨ１＞閾値ＳＨ１´とする。閾値ＳＨ２´は閾値ＳＨ２に対してヒステリシスを持たせた値とすることにより、タッチプッシュ状態を保持した状態における圧力変化によりユーザーが意図しない動作が行われないようにしている。すなわち、タッチプッシュの圧力が少し弱まっただけでは圧力検知中４枚マルチ再生処理には戻らないようにしている。この判定の結果、圧力Ｐが閾値ＳＨ２´を超えている場合はＳ４０５に進み、そうでない場合はＳ２０９の「圧力検知中４枚マルチ再生処理」に移行する。
【００５５】
Ｓ４０５においては、ＣＰＵ１０１は、タッチパネル１１２上でタッチアップされたことを検知したか否かを判定する。この判定の結果、ＣＰＵ１０１がタッチアップされたことを検知した場合はＳ３１１の「シングル再生処理」に移行し、そうでない場合はＳ４０２に戻る。
【００５６】
なお、圧力検知中４枚マルチ再生処理と同様に、一度上下方向へのタッチムーブ（画像のスクロール操作）が行われた場合には、Ｓ４０６に進み、Ｓ４０３〜Ｓ４０５の処理は行われない。すなわち、一度上下方向へのタッチムーブ（画像のスクロール操作）が行われた場合には、タッチプッシュによる圧力の変化があっても表示される画像の枚数や大きさの変更が行われないようにする。一方、４枚再生の状態からタッチプッシュによって９枚再生に切り替えた後、上下方向へタッチムーブをせずにタッチップッシュの圧力Ｐを閾値ＳＨ１より大きく閾値ＳＨ２´以下とすれば、元の４枚再生に戻ることができる。この場合、４枚再生で表示される画像は、元の４枚再生と同じ画像であるものとする。
【００５７】
なお、上下方向へタッチムーブをせずにタッチップッシュの圧力Ｐを閾値ＳＨ２´以下にした場合、図３の圧力検知中４枚マルチ再生処理に戻ってもタッチは継続されたままである。このまま、タッチを離すことなく、圧力検知中４枚マルチ再生処理での各種タッチ操作、タッチプッシュ操作を行うことが可能である。このようにすれば、４枚再生の状態でユーザーがタッチプッシュをする意図を持たずに、不用意に強くタッチしてしまって図４の処理に進んでしまった場合にも、タッチの圧力を弱めることで４枚再生に戻して意図した操作を行うことができる。更に、圧力検知中９枚マルチ再生処理でタッチップッシュの圧力Ｐを閾値ＳＨ１の圧力以下にすることによって１枚再生に戻し、タッチを離さずにそのままタッチ操作を継続することも可能である。
【００５８】
Ｓ４０６においては、タッチムーブされた方向が上か下かに応じてディスプレイ１０５に表示される画像をスクロールさせる。スクロールして表示される画像は記録媒体１０８から新たに読み出される。下方向にスクロールされた場合は現在表示されている画像よりも前のファイル番号の９つの画像ファイルが読み出され、上方向にスクロールされた場合は現在表示されている画像よりも後のファイル番号の９つの画像ファイルが読み出される。新たに読み出された９枚の画像ファイルが画像処理部１０４にて９枚配置できるようなサイズにリサイズされ、９つの画像が表示される。例えば、図６（Ｅ）のようにファイル番号「１」〜「９」の９つの画像が表示された状態で上方向へタッチムーブされると、画像を全体的に上にスクロールし、図６（Ｆ）に示すように、ファイル番号「１０」〜「１８」の９つの画像を表示させることができる。
【００５９】
次に、Ｓ４０７において、ＣＰＵ１０１は、上下方向にタッチムーブされたことを検知したか否かを判定する。この判定の結果、ＣＰＵ１０１が上下方向にタッチムーブされたことを検知した場合はＳ４０６に戻り、そうでない場合はＳ４０８に進む。
【００６０】
Ｓ４０８においては、ＣＰＵ１０１は、タッチパネル１１２上でタッチアップされたことを検知したか否かを判定する。この判定の結果、ＣＰＵ１０１がタッチアップされたことを検知した場合はＳ２１０の「マルチ再生処理」に移行し、そうでない場合はＳ４０７に戻る。
【００６１】
図５は、図２のＳ２１０におけるマルチ再生処理の詳細な処理手順の一例を示すフローチャートである。この処理は、タッチプッシュを検知していない状態でのマルチ再生処理である。また、タッチプッシュによって４枚表示あるいは９枚表示中に、タッチを離さずにスクロール表示した後に、タッチアップした場合に移行する処理である。
【００６２】
まず、Ｓ５０１において、ＣＰＵ１０１は、記録媒体１０８に保存されている複数の画像ファイルを再生して、ディスプレイ１０５に複数枚の画像を表示する。本実施形態においては、マルチ再生される画像の枚数は４枚または９枚である。なお、圧力検知中４枚マルチ再生処理または圧力検知中９枚マルチ再生処理中にスクロール表示した後にタッチアップされた場合は、タッチアップされたときにディスプレイ１０５に表示されていた画像がそのまま表示されることになる。
【００６３】
次に、Ｓ５０２において、ＣＰＵ１０１は、表示されている複数の画像のいずれかに対してタップされたことを検知したか否かを判定する。この判定の結果、ＣＰＵ１０１が画像上でタップされたことを検知した場合はＳ３１１のシングル再生処理に移行し、そうでない場合はＳ５０３に進む。シングル再生処理に移行した場合はタップされた画像を１枚表示する。すなわち、一覧表示されていた複数の画像（項目）のうち、ユーザーに選択された画像（項目）の詳細を表示する。
【００６４】
Ｓ５０３においては、ＣＰＵ１０１は、タッチパネル１１２上でタッチオンを検知し、上下方向にタッチムーブされたことを検知したか否かを判定する。この判定の結果、ＣＰＵ１０１が上下方向にタッチムーブされたことを検知した場合はＳ５０７に進み、そうでない場合はＳ５０４に進む。
【００６５】
Ｓ５０７においては、ＣＰＵ１０１は、タッチムーブされた方向に応じてディスプレイ１０５に表示される画像をスクロールさせる。スクロールして表示される画像は記録媒体１０８から新たに読み出される。下方向にスクロールされた場合は現在表示されている画像よりも前のファイル番号の画像ファイルが読み出され、上方向にスクロールされた場合は現在表示されている画像よりも後のファイル番号の画像ファイルが読み出される。読み出される画像ファイルの数はマルチ再生する画像の枚数により決定され、読み出された画像ファイルは、画像処理部１０４にてマルチ再生表示の配置ができるようなサイズにリサイズされ、これらの画像が表示される。
【００６６】
次に、Ｓ５０４において、ＣＰＵ１０１は、タッチパネル１１２上でマルチタッチされたことを検知したか否かを判定する。この判定の結果、ＣＰＵ１０１がマルチタッチされたことを検知した場合はＳ５０５に進み、そうでない場合はＳ５０６に進む。
【００６７】
Ｓ５０５においては、ＣＰＵ１０１は、ピンチ操作（ピンチインまたはピンチアウト）されたことを検知したか否かを判定する。この判定の結果、ＣＰＵ１０１がピンチ操作されたことを検知した場合はＳ５０８に進み、そうでない場合はＳ５０６に進む。
【００６８】
Ｓ５０８においては、ＣＰＵ１０１は、マルチ再生する画像の枚数を変更する。すなわち、ピンチインがされていた場合はマルチ再生する画像の枚数を増やし、表示される各画像のサイズを小さくする。例えば、前述の４枚表示から９枚表示に遷移する。また、ピンチアウトがされていた場合はマルチ再生する画像の枚数を減らし、表示される各画像のサイズを大きくする。例えば、前述の９枚表示から４枚表示に、４枚表示から１枚表示に遷移する。なお、９枚表示が行われている時にピンチインされた場合は、画像の枚数の変更は行われない。
【００６９】
Ｓ５０６においては、ＣＰＵ１０１は、マルチ再生処理が終了したか否かを判定する。この判定は、Ｓ５０８の処理によって画像の表示枚数が１枚になったか否かの判定である。この判定の結果、マルチ再生処理が終了した場合は図５の処理を終了して図２のＳ２１１に進み、そうでない場合はＳ５０２に戻る。
【００７０】
このように本実施形態では、タッチプッシュされた後に上下方向にタッチムーブされるとマルチ再生状態を保持するようにしている。一方、タッチプッシュしている場合のみマルチ再生状態に遷移し、タッチムーブが行われた後であってもタッチオンが解除されるとシングル再生状態に戻るようにしても良い。さらに、本実施形態では、上下方向にタッチムーブされた場合にスクロール表示を行っていたが、左右方向にタッチムーブされた場合にスクロール表示を行ってもよい。
【００７１】
また、１枚再生している際に、タッチプッシュする位置に応じて４枚表示する画像を異なるようにしても良い。以下、図７を用いてタッチプッシュする位置に応じてディスプレイ１０５に表示されるマルチ表示の画面の差異について説明する。
【００７２】
例えば、図７（Ａ）に示すように、ファイル番号「９」の画像が一枚表示されている状態で画面の上側の領域７０１をタッチプッシュした際には、図７（Ｂ）に示すようにファイル番号「９」〜「１２」の４枚の画像が表示される。この場合、表示される画像が一枚表示されている画像に続くファイル番号の画像が表示されるので下側にタッチムーブした際に送られる画像が視認することができる。
【００７３】
また、図７（Ａ）に示すように、ファイル番号「９」の画像が一枚表示されている状態で画面の下側の領域７０２をタッチプッシュした際には、図７（Ｃ）に示すように、ファイル番号「６」〜「９」の４枚の画像が表示される。この場合、表示される画像が一枚表示されている画像の前のファイル番号の画像が表示されるので上側にタッチムーブした際に送られる画像が視認することができる。
【００７４】
以上のように本実施形態によれば、シングル再生処理でタッチプッシュの押圧力を変化させることによって、１枚表示から複数枚表示へ変更するようにした。また、さらに押圧力を強めることによってマルチ再生する枚数をより多くするようにした。これにより、複数の画像の中から所望の項目を選択する場合において、少ないタッチ操作および直観的なタッチ操作により簡単に所望の画像を選択することが可能となる。
【００７５】
（第２の実施形態）
第１の実施形態では、マルチ再生する際に、縦方向および横方向に均等な行列で画像を並べて表示したが、マルチ再生する画像の配置を１列の横方向にしても良い。以下、本実施形態では、マルチ再生する画像を１列の横方向に並べる例について説明する。なお、本実施形態に係る電子機器の内部構成については図１と同様であるため、説明は省略する。また、本実施形態に係る処理手順についても、説明がない箇所については基本的には図２〜図５と同様であるため、説明は省略する。以下、第１の実施形態と異なる点について説明する。
【００７６】
図８は、横方向にマルチ再生する際の画面遷移の例を説明するための図である。
図８（Ａ）に示す状態からタッチプッシュが実行され、タッチプッシュの圧力Ｐが閾値ＳＨ１を超えると、例えば図８（Ｂ）に示すような横一列のマルチ再生画面に切り替わる。図３のＳ３０１では、ＣＰＵ１０１は一枚表示していた際の画像を真ん中に配置しその前後の画像をファイル番号順に並べてマルチ表示する。このとき、真ん中に配置される画像は、他の画像よりも少し大きいサイズで表示される。なお、本実施形態では、圧力検知中４枚マルチ再生処理の代わりに圧力検知中５枚マルチ再生処理としているが、マルチ表示される画像の枚数は何枚でもよい。また、タッチプッシュの圧力の段階に応じてマルチ表示される画像の枚数を変更しても良い。
【００７７】
また、タッチプッシュによってマルチ表示に切り替えた後、タッチムーブがないままタッチプッシュの状態が解除（圧力Ｐが閾値ＳＨ１´以下）またはタッチアップされた際には、マルチ表示の画面からシングル再生状態に戻るものとする。この際は、所定時間の経過を待たずにシングル再生状態に戻る。タッチプッシュによってマルチ表示に切り替わった後、タッチムーブが行われると、ムーブされた方向に応じてマルチ再生される画像がスクロールされる。第１の実施形態では、上下方向にタッチムーブが行われるとスクロール表示を行っていたが、本実施形態では、左右方向にタッチムーブが行われた場合にスクロール表示を行う。また、本実施形態では、左右方向にタッチムーブされると、その時に表示されていた画像群の一部を切り替えるようにスクロール表示を行う。すなわち、画像が１コマずつずれるようにスクロール表示を行う。
【００７８】
図８（Ｃ）には、図８（Ｂ）に示す状態から左方向にタッチムーブされた際のマルチ表示の例を示している。そして、本実施形態では第１の実施形態とは異なり、タッチムーブしてスクロール表示を行った後であっても、タッチプッシュの状態を解除あるいはタッチアップするとシングル再生状態に戻す。この際、タッチプッシュの状態か解除されてもすぐにはシングル再生状態に戻らず、あるいはタッチアップされてもすぐにはシングル再生状態に戻らず、所定時間経過してから戻るようにしてもよい。このようにすれば、繰り返しタッチムーブを行って多くスクロールさせる場合に、頻繁にシングル再生状態に戻ることを防止できる。
【００７９】
マルチ再生状態からシングル再生状態に戻る際は、真ん中に表示されている画像が表示されるように制御する。例えば図８（Ｃ）に示す状態からタッチアップ等がなされてシングル再生状態に戻った際に、図８（Ｄ）に示すように画像を表示する。また、マルチ再生状態でタップすることにより、マルチ再生状態からシングル再生状態に戻るように制御しても良いし、所定時間以上タッチ操作が行われなかったら、シングル再生状態に戻るように制御してもよい。
【００８０】
本実施形態では、ユーザーがタッチムーブにより所望の画像を選択する場合、所望の画像を中央に移動させることが想定される。そのため、第１の実施形態のようにマルチ再生処理に移行してユーザーに所望の画像をタップして選択させるような構成にする必要がない。そこで本実施形態では、タッチプッシュの状態を解除あるいはタッチアップした時に中央に配置された画像が所望の画像であるものとみなし、シングル再生状態に戻すようにしている。なお、第１の実施形態と同様にシングル再生状態に戻さないようにしてもよい。
【００８１】
以上のように本実施形態によれば、第１の実施形態に比べて、タッチプッシュでマルチ再生状態にしてタッチムーブを行った後にシングル再生状態に戻す操作を省くことができる。また、マルチ再生した画像の何れかを選択してタップする操作が必要ない。このため、電子機器を保持した片手の１本指が届く範囲内でのタッチ操作で、マルチ再生への遷移、マルチ再生におけるスクロールによる画像のサーチ、所望の画像を中央に合わせてシングル再生に戻す、といった操作を行うことができる。また、複数の画像の中から所望の項目を選択する場合において、少ないタッチ操作および直観的なタッチ操作により簡単に所望の画像を選択できる。
【００８２】
（第３の実施形態）
第１及び第２の実施形態では、画像をシングル再生またはマルチ再生する例について説明した。本実施形態では、画像一覧以外に適用した際の例について説明する。なお、本実施形態に係る電子機器の内部構成については図１と同様であるため、説明は省略する。また、本実施形態に係る処理手順についても、説明がない箇所については基本的には図２〜図５と同様であるため、説明は省略する。以下、第１の実施形態と異なる点について説明する。
【００８３】
図９は、Ｗｅｂブラウザに適用した際の画面遷移の例を説明するための図である。
図９（Ａ）には、特定のホームページの情報をＷｅｂブラウザで表示している画面の例を示す。Ｗｅｂブラウザの場合は、ＣＰＵ１０１がインターネット１１１を介して通信Ｉ／Ｆ１１０から表示するページの情報を取得し、そのページの内容表示画面をディスプレイ１０５に表示する。したがって、図９（Ａ）に示す例は、第１の実施形態におけるシングル再生状態と対応している。この状態からタッチプッシュが実行されると、図９（Ｂ）に示すように現在開いているホームページのＷｅｂページの一覧が表示される。この一覧表示される状態は、圧力検知中のマルチ再生状態と対応している。一覧表示されるＷｅｂページの枚数は何枚でもよく、タッチプッシュの圧力の段階に応じて一覧表示される枚数を変更しても良い。
【００８４】
一覧表示の状態からタッチムーブが行われると、ムーブされた方向に応じてＷｅｂページの一覧がスクロールされる。図９（Ｃ）には、図９（Ｂ）に示す画面で下方向にタッチムーブした際の一覧表示の例を示している。一覧表示状態から特定のホームページを表示している状態に戻る際は、選択する項目をタップすることによりタップされた位置に対応するＷｅｂページのホームページを表示するように制御される。図９（Ｄ）は、図９（Ｃ）に示す一覧表示において真ん中に配置される５ページ目のＷｅｂブラウザをタップした際の画面の例を示している。
【００８５】
本実施形態では、前述の図２〜５で説明した処理において、１枚再生の処理を図９（Ａ）または図９（Ｄ）に示す画面を表示する処理に置き換え、４枚再生の処理を図９（Ｂ）または図９（Ｃ）に示す画面に置き換える。それ以外のその他の点は第１の実施形態と同様である。また、第１の実施形態の９枚再生のように、より多くの一覧表示を行う場合は、図９（Ｂ）及び図９（Ｃ）に示す例よりもさらに多くのＷｅｂページの一覧画面を表示できるようにしてもよい。
【００８６】
以上により複数開かれているＷｅｂページの中から所望のホームページを選択する場合において、少ないタッチ操作および直観的なタッチ操作により簡単に所望のホームページを選択することができる。
【００８７】
（第４の実施形態）
第３の実施形態では、Ｗｅｂページの一覧を表示する例について説明したが、本実施形態では、メールの内容を表示する例について説明する。なお、本実施形態に係る電子機器の内部構成については図１と同様であるため、説明は省略する。また、本実施形態に係る処理手順についても、説明がない箇所については基本的には図２〜図５と同様であるため、説明は省略する。以下、第１の実施形態と異なる点について説明する。
【００８８】
図１０は、メーラーに適用した際の画面遷移の例を説明するための図である。
図１０（Ａ）には、特定のメールの情報が表示されている画面の例を示している。図１０（Ａ）に示す例は、第１の実施形態におけるシングル再生状態と対応している。この状態からタッチプッシュが実行されると、図１０（Ｂ）に示すように、受信済みのメールの一覧が表示される。この一覧表示される状態は、圧力検知中のマルチ再生状態と対応している。また、一覧表示される際には、題名と本文の１行のみなど情報量を間引いたものとなる。一覧表示されるメールの件数は何件でもよく、タッチプッシュの圧力の段階に応じて一覧表示される件数を変更しても良い。
【００８９】
一覧表示の状態からタッチムーブが行われると、ムーブされた方向に応じて一覧表示されるメール一覧がスクロールされる。図１０（Ｃ）には、図１０（Ｂ）に示す状態から下方向にタッチムーブした際のメールの一覧表示の例を示している。一覧表示状態から特定のメールを表示している状態に戻る際は、選択する項目をタップすることによりタップされた位置に対応するメールの詳細な内容を表示するように制御される。図１０（Ｄ）は、図１０（Ｃ）に示す一覧表示において最上段に配置されるメールの項目をタップした際の画面の例を示している。
【００９０】
前述の図２〜５で説明した処理において、１枚再生を図１０（Ａ）、図１０（Ｄ）の画面、４枚再生を図１０（Ｂ）または図１０（Ｃ）の画面に置き換えて処理することにより、上述の画面遷移制御が可能である。その他の点も第１の実施形態と同様である。また、第１の実施形態の９枚再生のように、図１０（Ｂ）及び図１０（Ｃ）に示す例よりもさらに多くのメールの一覧画面を表示できるようにしてもよい。
【００９１】
以上により複数のメールの中から所望のメールを選択する場合において、少ないタッチ操作および直観的なタッチ操作により簡単にメールを選択できる。
【００９２】
なお、ＣＰＵ１０１が行うものとして説明した上述の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明を電子機器に適用した場合を例にして説明したが、これはこの例に限定されず、タッチパネルを搭載し、タッチプッシュの圧力を検知できる装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機などに適用可能である。さらには、電子ブックリーダー、タブレット端末、スマートフォン、投影装置、ディスプレイを備える家電装置や車載装置などにも適用可能である。
【００９４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１０１  ＣＰＵ
１１２  タッチパネル
１１３  圧力検知部
【図１】
0006758921.tif 000002
【図２】
0006758921.tif 000003
【図３】
0006758921.tif 000004
【図４】
0006758921.tif 000005
【図５】
0006758921.tif 000006
【図６】
0006758921.tif 000007
【図７】
0006758921.tif 000008
【図８】
0006758921.tif 000009
【図９】
0006758921.tif 000010
【図１０】
0006758921.tif 000011